(57)【要約】【課題】透過表示と反射表示のカラー表示を実現するためのカラー要素を異ならしめることにより、両表示の表示品位及びそのバランスを容易に確保することができるカラーフィルタ構造及びこれを備えた電気光学装置を提供する。【解決手段】本発明の電気光学装置は、光透過領域Ａｔ及び光反射領域Ａｔを有し、光透過領域及び光反射領域のそれぞれに三色のうちの一色の着色層１２２ａｔ，１２２ａｒが配置されてなる三種のサブ画素Ｄｘｒ，Ｄｘｇ，Ｄｘｂと、この三色以外の少なくとも一色の着色層１２２ａｔが配置されてなる光透過領域Ａｔを有する少なくとも一種のサブ画素Ｄｘｃとを含み、三種のサブ画素及び少なくとも一種のサブ画素を表示単位の画素Ｐｘとして複数のサブ画素が所定パターンで配列され、表示単位は、三種のサブ画素及び少なくとも一種のサブ画素のそれぞれの光透過領域、及び、三種のサブ画素のそれぞれの光反射領域により構成される。【選択図】図１
2006350281.tif 000002
【特許請求の範囲】
【請求項１】
光透過領域及び光反射領域を有し、前記光透過領域及び前記光反射領域のそれぞれに三
色のうちの一色の着色層が配置された三つの前記三色に対応したサブ画素と、前記三色以
外の一色の着色層が光透過領域に配置された少なくとも一つのサブ画素とを備え、前記光
透過領域によって透過表示を行い、前記光反射領域によって反射表示を行うとともに、反
射表示と透過表示のいずれの表示においてもカラー表示を行う電気光学装置であって、
前記三つの前記三色に対応したサブ画素と前記少なくとも一つのサブ画素のそれぞれの
前記光透過領域、及び、前記三つの前記三色に対応したサブ画素のそれぞれの前記光反射
領域によって、表示単位となる一つの画素が構成されていることを特徴とする電気光学装
置。
【請求項２】
前記三つの前記三色に対応したサブ画素と前記少なくとも一つのサブ画素のそれぞれの
前記光透過領域が相互に同一面積であることを特徴とする請求項１に記載の電気光学装置
。
【請求項３】
前記三つの前記三色に対応したサブ画素のそれぞれの前記光反射領域が相互に同一面積
であることを特徴とする請求項１又は２に記載の電気光学装置。
【請求項４】
前記三つの前記三色に対応したサブ画素及び前記少なくとも一つのサブ画素のそれぞれ
の前記光透過領域が一列に配列された透過領域縦列部分と、前記三つの前記三色に対応し
たサブ画素のそれぞれの前記光反射領域が一列に配列された反射領域縦列部分とが並列に
配置され、前記透過領域縦列部分と前記反射領域縦列部分における領域配列方向の長さが
等しいことを特徴とする請求項１乃至３のいずれか一項に記載の電気光学装置。
【請求項５】
前記光透過領域は前記透過領域縦列部分を前記領域配列方向に等分することにより構成
され、前記光反射領域は前記反射領域縦列部分を等分することにより構成されていること
を特徴とする請求項４に記載の電気光学装置。
【請求項６】
前記三色は原色系のフィルタ色であり、前記三色以外の色は補色系のフィルタ色である
ことを特徴とする請求項１乃至５のいずれか一項に記載の電気光学装置。
【請求項７】
前記三色以外の色はシアンであることを特徴とする請求項６に記載の電気光学装置。
【請求項８】
光透過領域及び光反射領域を有し、前記光透過領域及び前記光反射領域のそれぞれに三
色のうちの一色の着色領域が配置された三つの前記三色に対応したサブ画素と、前記三色
以外の一色の着色領域が光透過領域に配置された少なくとも一つのサブ画素とを備え、前
記光透過領域によって透過表示を行い、前記光反射領域によって反射表示を行うとともに
、反射表示と透過表示のいずれの表示においてもカラー表示を行う電気光学装置であって
、
前記三つの前記三色に対応したサブ画素と前記少なくとも一つのサブ画素のそれぞれの
前記光透過領域、及び、前記三つの前記三色に対応したサブ画素のそれぞれの前記光反射
領域によって、表示単位となる一つの画素が構成されていることを特徴とする電気光学装
置。
【請求項９】
前記三つの前記三色に対応したサブ画素と前記少なくとも一つのサブ画素のそれぞれの
前記光透過領域が相互に同一面積であることを特徴とする請求項８に記載の電気光学装置
。
【請求項１０】
前記三つの前記三色に対応したサブ画素のそれぞれの前記光反射領域が相互に同一面積
であることを特徴とする請求項８又は９に記載の電気光学装置。
【請求項１１】
前記三つの前記三色に対応したサブ画素及び前記少なくとも一つのサブ画素のそれぞれ
の前記光透過領域が一列に配列された透過領域縦列部分と、前記三つの前記三色に対応し
たサブ画素のそれぞれの前記光反射領域が一列に配列された反射領域縦列部分とが並列に
配置され、前記透過領域縦列部分と前記反射領域縦列部分における領域配列方向の長さが
等しいことを特徴とする請求項８乃至１０のいずれか一項に記載の電気光学装置。
【請求項１２】
前記光透過領域は前記透過領域縦列部分を前記領域配列方向に等分することにより構成
され、前記光反射領域は前記反射領域縦列部分を等分することにより構成されていること
を特徴とする請求項１１に記載の電気光学装置。
【請求項１３】
前記三色に対応する着色領域は、波長に応じて色相が変化する可視光領域のうち、
青系の色相の着色領域、
赤系の色相の着色領域、
前記青から黄までの色相の中で選択された２種の色相の着色領域のうちの一方
であり、
前記三色以外の色に対応する着色領域は、
前記青から黄までの色相の中で選択された２種の色相の着色領域のうちの他方
であることを特徴とする請求項８乃至１２のいずれか一項に記載の電気光学装置。
【請求項１４】
前記青から黄までの色相の中で選択された２種の色相の着色領域は、青から緑の色相の
着色領域および緑から橙の色相の着色領域であることを特徴とする請求項１３に記載の電
気光学装置。
【請求項１５】
前記三色に対応する着色領域は、当該着色領域を透過した光の波長のピークが、
４１５−５００ｎｍにある第１着色領域と、
６００ｎｍ以上にある第２着色領域と、
４８５−５３５ｎｍにある第３着色領域または５００−５９０ｎｍにある第４着色領域
のうちの一方
であり、
前記三色以外の色に対応する着色領域は、
前記第３着色領域または前記第４着色領域のうちの他方
であることを特徴とする請求項８乃至１２のいずれか一項に記載の電気光学装置。
【請求項１６】
前記第３着色領域は、当該着色領域を透過した光の波長のピークが４９５−５２０ｎｍ
にある着色領域であり、前記第４着色領域は、当該着色領域を透過した光の波長のピーク
が５１０−５８５ｎｍにある着色領域であることを特徴とする請求項１５に記載の電気光
学装置。
【請求項１７】
請求項１乃至１６のいずれか一項に記載の電気光学装置と、該電気光学装置を制御する
制御手段を備えたことを特徴とする電子機器。
【発明の詳細な説明】
【技術分野】
【０００１】
本発明は電気光学装置及び電子機器に係り、特に、複数の着色層を含むカラーフィルタ
を有し、このカラーフィルタによって実現されるカラーの反射表示と透過表示の双方を可
能にした電気光学装置の構造に関する。
【背景技術】
【０００２】
一般に、液晶表示装置その他の各種の電気光学装置では、カラー表示を可能とするため
に、カラーフィルタを形成してある。このカラーフィルタは、例えば、画素毎に異なる複
数色、例えば、赤、緑、青の着色層のいずれか一つを配置し、これらの複数色の着色層を
所定のパターンで配列させてなるものである。このような着色層は、例えば、着色材（顔
料や染料など）を含む感光性樹脂を用いたフォトリソグラフィ法で形成される。
【０００３】
一方、屋内や車内などの比較的暗い環境では、電気光学装置の背後にバックライトを配
置し、このバックライトの光によって視認可能となる透過表示を実現し、屋外などの明る
い場所ではバックライトを消灯して外光によって視認可能となる反射表示を実現するタイ
プの表示装置が知られている。このタイプの装置では、各画素内に、光を透過する光透過
領域と、光を反射する光反射領域とをそれぞれ設け、光透過領域を用いて上記透過表示を
実現し、光反射領域を用いて上記反射表示を実現している。
【０００４】
この場合、透過表示と反射表示の双方でカラー表示を可能とするには、光透過領域と光
反射領域の双方に上記着色層を形成する必要があるが、光透過領域ではバックライトの光
が着色層を一度だけ通過するのに対して、光反射領域では外光が着色層を往復で２回通過
するので、透過表示では明るい表示が可能であるが彩度を高めにくく、反射表示では彩度
を高めやすいが表示の明るさが犠牲になるという問題点がある。そこで、通常、光透過領
域の着色層を光反射領域の着色層よりも高い彩度を呈するものとする必要がある。
【０００５】
上記の光反射表示と光透過領域の着色層を異なる彩度を有するものとするには、着色層
に含まれる着色材の量を変える必要があり、そのため、着色層の種類が増大し、製造プロ
セスが複雑になるという問題がある。そこで、原色系の赤、緑、青の３色を形成するため
に、補色系のシアン、マゼンタ、イエローの３色の着色層のうちの２色を積層させてなる
構造を光透過領域に配置する一方、左記２色を光反射領域にそれぞれ単層で配置する構成
の液晶表示装置用カラーフィルタを用いることにより、透過表示の彩度を確保しつつ、反
射表示の明るさを得ることができることが知られている（例えば、以下の特許文献１参照
）。
【０００６】
【特許文献１】特開２００２−２５８０２９号公報
【発明の開示】
【発明が解決しようとする課題】
【０００７】
しかしながら、前述の反射表示と透過表示の双方を可能とした電気光学装置では、光反
射領域を設けることで透過表示の実質的な開口率が低くなるとともに、光透過領域を設け
ることで反射表示の実質的な開口率も低下するため、表示の明るさを確保するとともに両
表示の視認性のバランスを実現することが難しいという問題点がある。
【０００８】
特に、反射表示の輝度やコントラストは本来的に透過表示の輝度やコントラストよりも
大幅に低いことから、明るさを優先するために光反射領域の面積をある程度確保する必要
がある反面、透過表示には高い表示品位（コントラストや色再現性等）が要求されること
から、透過表示の表示品位を高めるためには、面積が制限された光透過領域内においてカ
ラーフィルタの品位を向上させる必要がある。しかしながら、高品位の透過表示を構成す
るために光反射領域と光透過領域の着色層を別々の材料で形成すると、カラーフィルタの
製造工程数が増大し、製造コストが高くなるという問題点がある。
【０００９】
そこで、本発明は上記問題点を解決するものであり、その課題は、透過表示と反射表示
のカラー表示を実現するためのカラー要素を異ならしめることにより、両表示の表示品位
及びそのバランスを容易に確保することができるカラーフィルタ構造及びこれを備えた電
気光学装置を実現することにある。
【課題を解決するための手段】
【００１０】
斯かる実情に鑑み、本発明の電気光学装置は、光透過領域及び光反射領域を有し、前記
光透過領域及び前記光反射領域のそれぞれに三色のうちの一色の着色層が配置された三つ
の前記三色に対応したサブ画素と、前記三色以外の一色の着色層が光透過領域に配置され
た少なくとも一つのサブ画素とを備え、前記光透過領域によって透過表示を行い、前記光
反射領域によって反射表示を行うとともに、反射表示と透過表示のいずれの表示において
もカラー表示を行う電気光学装置であって、前記三つの前記三色に対応したサブ画素と前
記少なくとも一つのサブ画素のそれぞれの前記光透過領域、及び、前記三つの前記三色に
対応したサブ画素のそれぞれの前記光反射領域によって、表示単位となる一つの画素が構
成されていることを特徴とする。
【００１１】
この発明によれば、三色のサブ画素においては光透過領域と光反射領域のそれぞれに着
色層が形成されていることにより、反射表示を三色の着色層でカラー化することができる
一方、少なくとも一つのサブ画素においては上記三色以外の少なくとも一色の着色層が配
置された光透過領域が設けられることにより、透過表示を四色以上で表現することができ
ることから、高い色再現性を得ることができるため、透過表示の表示品位の向上と、透過
表示と反射表示のバランスの向上を図ることができる。特に、透過表示を四色以上で表現
することにより、個々の色の彩度を高めなくても広範囲の色相を再現できるようになるた
め、反射表示を構成する三色の着色層を反射表示の明るさを確保する上でより好適な彩度
に設定することが可能になる。したがって、基本となる三色の着色層を光透過領域と光反
射領域とで共通の着色材料で構成しても、透過表示の色再現性と反射表示の明るさのバラ
ンスを確保することができる。
【００１２】
本発明において、前記三つの前記三色に対応したサブ画素と前記少なくとも一つのサブ
画素のそれぞれの前記光透過領域が相互に同一面積であることが好ましい。これによれば
、少なくとも四種のサブ画素の光透過領域が相互に同じ面積を備えていることにより、透
過表示において、四色以上の着色層によるカラー表示の制御を容易に行うことができる。
【００１３】
本発明において、前記三つの前記三色に対応したサブ画素のそれぞれの前記光反射領域
が相互に同一面積であることが好ましい。これによれば、反射表示では輝度やコントラス
トが透過表示よりも大幅に低いため、三種のサブ画素の光反射領域が相互に同一面積であ
ることにより、反射表示において、三色の着色層によるカラー表示の制御を容易に行うこ
とができる。
【００１４】
本発明において、前記三つの前記三色に対応したサブ画素及び前記少なくとも一つのサ
ブ画素のそれぞれの前記光透過領域が一列に配列された透過領域縦列部分と、前記三つの
前記三色に対応したサブ画素のそれぞれの前記光反射領域が一列に配列された反射領域縦
列部分とが並列に配置され、前記透過領域縦列部分と前記反射領域縦列部分における領域
配列方向の長さが等しいことが好ましい。これによれば、透過表示を構成する少なくとも
四種のサブ画素の光透過領域が一列に配列されて透過領域縦列部分を構成し、反射表示を
構成する三種のサブ画素の光反射領域が一列に配列されて反射領域縦列部分を構成し、上
記透過領域縦列部分と反射領域縦列部分とが並列に配置されるとともに両部分の領域配列
方向の長さが等しいことにより、表示単位となる画素をコンパクトに構成することができ
、しかも、表示単位の平面形状を矩形などの単純な形状とすることができるため、表示単
位となる画素を隙間なく周期的に配列させることが容易になる。
【００１５】
本発明において、前記光透過領域は前記透過領域縦列部分を前記領域配列方向に等分す
ることにより構成され、前記光反射領域は前記反射領域縦列部分を等分することにより構
成されていることが好ましい。これによれば、表示単位内に配置された四種以上の光透過
領域の配列方向の幅、並びに、三種の光反射領域の配列方向の幅が相互に同一となるため
、汎用性の高い画素構造とすることができる。ただし、透過表示及び反射表示のカラー制
御の特性に応じて各色の幅を相互に変えることにより、各色の面積比を適宜に設定するこ
とも可能である。
【００１６】
本発明において、前記三色は原色系のフィルタ色であり、前記三色以外の色は補色系の
フィルタ色であることが好ましい。原色系のフィルタ色に補色系のフィルタ色の少なくと
も一色を加えることで、カラー表示の色再現性をさらに高めることができる。この場合に
、色再現範囲を広く確保する上で、前記三色以外の色はシアンであることが最も効果的で
ある。
【００１７】
また、本発明の別の電気光学装置は、光透過領域及び光反射領域を有し、前記光透過領
域及び前記光反射領域のそれぞれに三色のうちの一色の着色領域が配置された三つの前記
三色に対応したサブ画素と、前記三色以外の一色の着色領域が光透過領域に配置された少
なくとも一つのサブ画素とを備え、前記光透過領域によって透過表示を行い、前記光反射
領域によって反射表示を行うとともに、反射表示と透過表示のいずれの表示においてもカ
ラー表示を行う電気光学装置であって、前記三つの前記三色に対応したサブ画素と前記少
なくとも一つのサブ画素のそれぞれの前記光透過領域、及び、前記三つの前記三色に対応
したサブ画素のそれぞれの前記光反射領域によって、表示単位となる一つの画素が構成さ
れていることを特徴とする。
【００１８】
この発明によれば、三色のサブ画素においては光透過領域と光反射領域のそれぞれに着
色領域が形成されていることにより、反射表示を三色の着色領域でカラー化することがで
きる一方、少なくとも一つのサブ画素においては上記三色以外の少なくとも一色の着色領
域が配置された光透過領域が設けられることにより、透過表示を四色以上で表現すること
ができることから、高い色再現性を得ることができるため、透過表示の表示品位の向上と
、透過表示と反射表示のバランスの向上を図ることができる。特に、透過表示を四色以上
で表現することにより、個々の色の彩度を高めなくても広範囲の色相を再現できるように
なるため、反射表示を構成する三色の着色領域を反射表示の明るさを確保する上でより好
適な彩度に設定することが可能になる。したがって、基本となる三色の着色領域を光透過
領域と光反射領域とで共通の着色材料で構成しても、透過表示の色再現性と反射表示の明
るさのバランスを確保することができる。
【００１９】
本発明において、前記三つの前記三色に対応したサブ画素と前記少なくとも一つのサブ
画素のそれぞれの前記光透過領域が相互に同一面積であることが好ましい。これによれば
、少なくとも四種のサブ画素の光透過領域が相互に同じ面積を備えていることにより、透
過表示において、四色以上の着色領域によるカラー表示の制御を容易に行うことができる
。
【００２０】
本発明において、前記三つの前記三色に対応したサブ画素のそれぞれの前記光反射領域
が相互に同一面積であることが好ましい。これによれば、反射表示では輝度やコントラス
トが透過表示よりも大幅に低いため、三種のサブ画素の光反射領域が相互に同一面積であ
ることにより、反射表示において、三色の着色領域によるカラー表示の制御を容易に行う
ことができる。
【００２１】
本発明において、前記三つの前記三色に対応したサブ画素及び前記少なくとも一つのサ
ブ画素のそれぞれの前記光透過領域が一列に配列された透過領域縦列部分と、前記三つの
前記三色に対応したサブ画素のそれぞれの前記光反射領域が一列に配列された反射領域縦
列部分とが並列に配置され、前記透過領域縦列部分と前記反射領域縦列部分における領域
配列方向の長さが等しいことが好ましい。これによれば、透過表示を構成する少なくとも
四種のサブ画素の光透過領域が一列に配列されて透過領域縦列部分を構成し、反射表示を
構成する三種のサブ画素の光反射領域が一列に配列されて反射領域縦列部分を構成し、上
記透過領域縦列部分と反射領域縦列部分とが並列に配置されるとともに両部分の領域配列
方向の長さが等しいことにより、表示単位となる画素をコンパクトに構成することができ
、しかも、表示単位の平面形状を矩形などの単純な形状とすることができるため、表示単
位となる画素を隙間なく周期的に配列させることが容易になる。
【００２２】
本発明において、前記光透過領域は前記透過領域縦列部分を前記領域配列方向に等分す
ることにより構成され、前記光反射領域は前記反射領域縦列部分を等分することにより構
成されていることが好ましい。これによれば、表示単位内に配置された四種以上の光透過
領域の配列方向の幅、並びに、三種の光反射領域の配列方向の幅が相互に同一となるため
、汎用性の高い画素構造とすることができる。ただし、透過表示及び反射表示のカラー制
御の特性に応じて各色の幅を相互に変えることにより、各色の面積比を適宜に設定するこ
とも可能である。
【００２３】
本発明において、前記三色に対応する着色領域は、波長に応じて色相が変化する可視光
領域のうち、青系の色相の着色領域、赤系の色相の着色領域、前記青から黄までの色相の
中で選択された２種の色相の着色領域のうちの一方であり、前記三色以外の色に対応する
着色領域は、前記青から黄までの色相の中で選択された２種の色相の着色領域のうちの他
方であることが好ましい。光透過領域における着色領域の色数を、光反射領域における着
色領域の色数より少なくとも一色多くすることで、カラー表示の色再現性をさらに高める
ことができる。ここで、色再現範囲を広く確保する上で、前記青から黄までの色相の中で
選択された２種の色相の着色領域は、青から緑の色相の着色領域および緑から橙の色相の
着色領域とすることが効果的である。
【００２４】
本発明において、前記三色に対応する着色領域は、当該着色領域を透過した光の波長の
ピークが、４１５−５００ｎｍにある第１着色領域と、６００ｎｍ以上にある第２着色領
域と、４８５−５３５ｎｍにある第３着色領域または５００−５９０ｎｍにある第４着色
領域のうちの一方であり、前記三色以外の色に対応する着色領域は、前記第３着色領域ま
たは前記第４着色領域のうちの他方であることが好ましい。光透過領域における着色領域
の色数を、光反射領域における着色領域の色数より少なくとも一色多くすることで、カラ
ー表示の色再現性をさらに高めることができる。ここで、色再現範囲を広く確保する上で
、前記第３着色領域を、当該着色領域を透過した光の波長のピークが４９５−５２０ｎｍ
にある着色領域とし、前記第４着色領域を、当該着色領域を透過した光の波長のピークが
５１０−５８５ｎｍにある着色領域とすることが効果的である。
【００２５】
次に、本発明に係る電子機器は、上記のいずれかに記載の電気光学装置と、該電気光学
装置を制御する制御手段を備えたことを特徴とする。本発明の電気光学装置は、透過表示
と反射表示の双方が実現できることにより外部環境の変化に対して高い対応性を有するの
で、特に携帯型電子機器に搭載する場合に高い効果を発揮することができる。
【発明を実施するための最良の形態】
【００２６】
［第１実施形態］
次に、添付図面を参照して本発明の実施形態について詳細に説明する。図１は本発明に
係る電気光学装置の第１実施形態の表示単位（画素／ピクセル）を構成するサブ画素の配
列及び画素の内部構造を示す拡大透視平面図、図２は同電気光学装置における１つのサブ
画素の断面構造を示す拡大縦断面図である。
【００２７】
本実施形態は、電気光学装置の一種である液晶装置で構成する例を示すものであり、図
２に示すように、図示しないシール材等を介して基体１１０と基体１２０を所定の間隔を
もって貼り合わせ、その間に液晶層１３０を配置したものである。
【００２８】
基体１１０は、ガラスやプラスチック等からなる透明な基板１１１を含み、この基板１
１１の内面上には、ポリシリコン層等で構成される半導体層１０２、この半導体層１０２
上に構成されたゲート絶縁膜１０３、及び、このゲート絶縁膜１０３を挟んで上記半導体
層１０２のチャネル領域に対向するゲート電極１０４を備えたＴＦＴ（スイッチング素子
）１１０Ｘが形成されている。このゲート電極１０４は図１に示す走査線１１３ｘと導電
接続されている。
【００２９】
これらの上には酸化シリコン等からなる層間絶縁膜１１２が形成され、この層間絶縁膜
１１２は、ＴＦＴ１１０Ｘを覆うとともに、フォトリソグラフィ法等によって表面に微細
な凹凸を有するように構成される。層間絶縁膜１１２上には、上記半導体層１０２のソー
ス領域に導電接続されたデータ線１１３ｙと、上記半導体層１０２のドレイン領域に導電
接続された接続電極１１４とが形成される。
【００３０】
これらの上にはさらに酸化シリコン等からなる層間絶縁膜１１５が形成され、この層間
絶縁膜１１５上にはアルミニウム等の金属その他の反射性導電体で構成される反射層１１
６が形成される。この反射層１１６は上記接続電極１１４に導電接続されている。この反
射層１１６は、上記層間絶縁膜１１２の表面凹凸形状を反映した微細な凹凸構造で構成さ
れる散乱性反射面を備えている。上記反射層１１６は、一つのサブ画素内に設けられた光
反射領域Ａｒに対応してサブ画素内で島状に設けられている。サブ画素内には上記光反射
領域Ａｒ以外に光透過領域Ａｔが設けられ、この光透過領域Ａｔには反射層１１６は形成
されていない。
【００３１】
上記反射層１１６上にはＩＴＯ（インジウムスズ酸化物）等の透明導電体からなる電極
１１７が形成され、この電極１１７はサブ画素内の表示範囲全体に亘って、すなわち、上
記光透過領域Ａｔ及び光反射領域Ａｒの双方を全てカバーする範囲を覆って形成されてい
る。電極１１７は反射層１１６を介して上記ＴＦＴ１１０Ｘのドレイン領域に導電接続さ
れる。また、本実施の構成では、反射層１１６を反射電極として機能しているので、透明
電極とされる電極１１７が反射層１１６（光反射領域）の全体を覆う領域に形成されてい
なくても良く、透明電極とされる電極１１７の一部が反射層１１６と積層されて電気的な
接続が図られた構成とされていてもよい。
【００３２】
上記構造上にはポリイミド樹脂等からなる配向膜１１８が形成される。この配向膜１１
８は液晶層１３０内の液晶分子に初期配向を付与するためのもので、例えば、未硬化の樹
脂を塗布し、焼成等によって硬化させた後、ラビング処理などを施すことによって形成さ
れる。
【００３３】
一方、基体１２０はガラスやプラスチック等からなる透明な基板１２１を含み、この基
板１２１の内面上にカラーフィルタ１２２が形成されている。カラーフィルタ１２２は、
光透過領域Ａｔに形成される着色層１２２ａｔと、光反射領域Ａｒに形成される着色層１
２２ａｒとを有する。これらの着色層１２２ａｔ，１２２ａｒは、後述する原色系のフィ
ルタ色である、赤、緑、青のいずれか一色で構成される。同一のサブ画素内の着色層１２
２ａｔと着色層１２２ａｒは基本的に同色で構成されるが、相互に異なる色相（色濃度、
色度、彩度）や光透過率を有するものであってもよい。ただし、本実施形態では、同一の
サブ画素内の着色層１２２ａｔと１２２ａｒは同じ着色材料で同時に形成され、同一の色
相及び光透過率を備えた着色層となっている。
【００３４】
カラーフィルタ１２２は、サブ画素間や画素間や光透過領域Ａｔと光反射領域Ａｒの間
に黒色樹脂等からなる遮光層１２２ｂｍを備えている。遮光層１２２ｂｍは、電極１１７
，１２３の端縁部で生ずる斜め電界や基体１１０や１２０の表面段差等により液晶分子が
所望の配向状態にならない領域を遮光することにより、光抜け等に起因するコントラスト
の低下を防止するためのものである。
【００３５】
さらに、上記着色層１２２ａｔ，１２２ａｒ及び遮光層１２２ｂｍの上には、アクリル
樹脂等からなる保護膜１２２ｏｃが形成される。この保護膜１２２ｏｃは、カラーフィル
タ１２２の表面を平坦化するとともに、着色層１２２ａｔ，１２２ａｒに不純物が侵入し
て劣化することを防止するためのものである。
【００３６】
カラーフィルタ１２２上には、ＩＴＯ等の透明導電体からなる電極１２３が形成され、
この電極１２３の上には上記と同様の配向膜１２４が形成される。本実施形態の場合、３
端子スイッチング素子（非線形素子）であるＴＦＴ１１０Ｘを用いているため、上記電極
１１７はサブ画素毎に独立した画素電極であり、電極１２３は複数のサブ画素（及び複数
の画素）に亘る（好ましくは装置全体に亘る）共通電極である。ただし、ＴＦＴ１１０Ｘ
の代わりに２端子スイッチング素子（非線形素子）を用いる場合には、対向側の電極１２
３は、データ線１１３と交差する方向に伸び、データ線１１３の延長方向に複数ストライ
プ状に配列された帯状電極として構成される。
【００３７】
液晶層１３０はネマチック液晶等を用いたＴＮモードやＳＴＮモードの液晶層であり、
基体１１０及び基体１２０の外側に配置された偏光板１４１，１４２と協働してサブ画素
毎に光透過率を制御することができるように構成される。本実施形態の場合、光透過領域
Ａｔにおける液晶層１３０の厚さは、光反射領域Ａｒにおける液晶層１３０の厚さより大
きく（例えば２倍程度に）設定され、これにより、光透過領域Ａｔを用いた透過表示にお
ける液晶層１３０の光変調度と、光反射領域Ａｒを用いた反射表示における液晶層１３０
の光変調度との間に大きな差異が生じないように配慮されている。
【００３８】
なお、本実施形態では層間絶縁膜１１２，１１５の有無によって光透過領域Ａｔにおけ
る液晶層１３０の厚さと、光反射領域Ａｒにおける液晶層１３０の厚さとの差を確保して
いるが、例えば、カラーフィルタ１２２上に絶縁膜を形成し、この絶縁膜の有無によって
液晶層１３０の光透過領域Ａｔと光反射領域Ａｒの厚さの差を確保してもよい。
【００３９】
本実施形態において、図１に示す画素（ピクセル）Ｐｘは、表示画像の最小単位を構成
する基本単位であり、矩形の平面形状を有し、四種のサブ画素Ｄｘｒ，Ｄｘｇ，Ｄｘｃ，
Ｄｘｂによって構成されている。本明細書におけるサブ画素とは、相互に独立に光透過率
を制御可能な最小制御単位であり、このサブ画素が複数集まって上記画素（ピクセル）Ｐ
ｘを構成する。したがって、画素Ｐｘを構成するサブ画素数は一般的には４に限定される
ものではない。ただし、本実施形態の場合には画素Ｐｘを構成するサブ画素の数は４以上
の任意の数である。また、本発明における「着色領域」は、着色層１２２ａｒ，１２２ａ
ｔが設けられた各領域であって、各サブ画素Ｄｘｒ，Ｄｘｇ，Ｄｘｃ，Ｄｘｂに対応する
ものであり、４色の着色領域で１つの画素Ｐｘを構成する。
【００４０】
上記の図２に示したサブ画素の断面構造は、上記の四種のサブ画素のうち、三種のサブ
画素Ｄｘｒ，Ｄｘｇ，Ｄｘｂの構造を示しており、三色の原色系のフィルタ色Ｒ（赤）、
Ｇ（緑）、Ｂ（青）の着色層に対応している。これらの三種のサブ画素の構造には、上述
のように光透過領域Ａｔと光反射領域Ａｒがそれぞれ設けられ、三種の各サブ画素の領域
Ａｔ，Ａｒに、Ｒ（赤）、Ｇ（緑）、Ｂ（青）の着色層１２２ａｔ，１２２ａｒがそれぞ
れ配置されている点で共通する。また、これらの三種のサブ画素Ｄｘｒ，Ｄｘｇ，Ｄｘｂ
では、光透過領域Ａｔと光反射領域Ａｒの面積比がほぼ同一となっている。
【００４１】
上記三種のサブ画素Ｄｘｒ，Ｄｘｇ，Ｄｘｂでは、光透過領域Ａｔにおいては全面的に
着色層１２２ａｔが形成されている。つまり、三種の各サブ画素の光透過領域Ａｔはいず
れも原色系Ｒ（赤）、Ｇ（緑）、Ｂ（青）の着色層で全体が覆われている。一方、光反射
領域Ａｒにおいては、図示例の場合、当該領域の一部にのみ選択的に着色層１２２ａｒが
形成されている。つまり、光反射領域Ａｒには反射層１１６で着色されずに光が反射され
る非着色領域が設けられている。また、光反射領域Ａｒ内の着色層１２２ａｒの占有面積
比は画素Ｄｘｒ，Ｄｘｇ，Ｄｘｂ毎に異なった値を持つように構成されている。ただし、
これらの三種のサブ画素の光反射領域Ａｒの少なくとも一つにおいて着色層１２２ａｒを
全面的に覆って形成しても構わない。
【００４２】
一方、サブ画素Ｄｘｃは、上記の三種のサブ画素Ｄｘｒ，Ｄｘｇ，Ｄｘｂとは異なり、
実質的に光透過領域Ａｔのみで構成されているとともにサブ画素の形状が略矩形とされて
いる。即ち、サブ画素Ｄｘｃには反射層１１６が設けられておらずサブ画素の全領域が光
透過領域として構成されている。そして、この光透過領域Ａｔは、他の三種のサブ画素の
光透過領域Ａｔとほぼ同じ面積を有している。すなわち、本実施形態のサブ画素Ｄｘｃは
、他の三種のサブ画素Ｄｘｒ、Ｄｘｇ，Ｄｘｂの光反射領域Ａｒを除去した平面形状を有
する。サブ画素Ｄｘｃの光透過領域Ａｔには、補色系のフィルタ色であるシアンの着色層
１２２ａｔが形成されている。
【００４３】
平面矩形の画素Ｐｘには、上記四種のサブ画素の光透過領域Ａｔが画素Ｐｘの一辺側で
一方向（図示左右方向）に沿って一列に配列され、これによって透過領域縦列部分が構成
されている。また、この透過領域縦列部分の図示下方、即ち、画素Ｐｘの前記一辺と対向
する対辺側には、上記三種のサブ画素Ｄｘｒ，Ｄｘｇ，Ｄｘｂの光反射領域Ａｒで分割さ
れ、画素Ｐｘの一方向・一辺（図示左右方向）に沿って一列に配列され、これによって反
射領域縦列部分が構成されている。従って、画素Ｐｘの一辺側では、４つに分割されたＲ
（赤）、Ｇ（緑）、Ｂ（青）、Ｃ（シアン）の着色層の領域に対応した光透過領域が配置
され、画素Ｐｘの前記一辺の対辺側では、３つに分割されたＲ（赤）、Ｇ（緑）、Ｂ（青
）、の着色層の領域に対応した光反射領域が配置されており、画素Ｐｘを構成する各サブ
画素Ｄｘｒ，Ｄｘｇ，Ｄｘｃ,Ｄｘｂはそれぞれ形状が異なっている。透過領域縦列部分
と反射領域縦列部分とは画素Ｐｘ内で図示上下に並列に２分した領域として配置されてい
る。また、透過領域縦列部分と、反射領域縦列部分とは、各領域が配列される領域配列方
向に見て同じ長さ（図示左右方向に見て同じ長さ）を有している。
【００４４】
透過領域縦列部分では、領域配列方向の長さが四分割されて四つの光透過領域Ａｔが構
成されている。すなわち、四つの光透過領域Ａｔは相互に領域配列方向に同じ幅を有して
いる。また、反射領域縦列部分では、領域配列方向の長さが三分割されて三つの光透過領
域が構成されている。すなわち、三つの光反射領域は相互に領域配列方向に同じ幅を有し
ている。
【００４５】
なお、本実施形態において、サブ画素Ｄｘｃを駆動するＴＦＴ１１０Ｘには、半導体層
１０２に導電接続され、サブ画素Ｄｘｇ或いはＤｘｂの光反射領域Ａｒにおける反射層１
１６の下方を通過する配線状の接続電極１１４´が設けられ、この接続電極１１４´がサ
ブ画素Ｄｘｃの電極１１７とサブ画素Ｄｘｃ内において導電接続されている。
【００４６】
図５は、本実施形態に用いるカラーフィルタ１２２の各着色層１２２ａｔ，１２２ａｒ
の着色材料の分光スペクトルである。図中、赤の着色層の光透過特性をＲ、緑の着色層の
光透過特性をＧ、青の着色層の光透過特性をＢ、シアンの着色層の光透過特性をＣで示し
てある。
【００４７】
また、図６は、本実施形態に用いるカラーフィルタ１２２によって実現される色再現可
能範囲を示すｘｙ色度図である。図中において、Ｒ、Ｇ、Ｂ、Ｃは図５に示す各色の着色
層の色相をそれぞれ示している。また、図中のＲ´、Ｇ´、Ｂ´は、光反射領域Ａｒに配
置される赤、緑、青の着色層として好適な色相を示し、図中のＧ″は、光透過領域Ａｔに
配置される緑の着色層として好適な色相を示してある。さらに、上記の各点を取り囲む曲
線は人間が知覚可能な色相の範囲を示す。
【００４８】
この色度図をみると、Ｒ´、Ｇ´、Ｂ´を頂点とする色三角形の面積に対して、本実施
形態のＲ，Ｇ，Ｂ，Ｃで囲まれる色四角形の面積は大きいことから、本実施形態の透過表
示の色再現範囲は反射表示の色再現範囲よりも広くなっていることがわかる。また、従来
の三原色のフィルタ構成で透過表示を行う場合には、Ｒ´，Ｇ″，Ｂ´の色三角形が示す
ようにある程度広い色再現範囲を有するが、本実施形態のＲ，Ｇ，Ｂ，Ｃによる色再現範
囲はこれと同等或いはそれ以上の広い範囲とすることが可能であることがわかる。
【００４９】
本実施形態では、光透過領域Ａｔに配置されたＲ，Ｇ，Ｂ，Ｃの四色の着色層で透過表
示において広い色再現範囲を実現できるだけでなく、光反射領域Ａｒに配置されたＲ，Ｇ
，Ｂの三色の着色層で明るい反射表示をも実現することができる。すなわち、基本的なＲ
，Ｇ，Ｂの三色の彩度を低下させて明るい反射表示を実現するために適した構成にした場
合でも、透過表示では上記三色にＣを加えた四色でカラーを表現できるため、透過表示の
色再現性の低下を抑制できる。また、この場合、光透過領域Ａｔと光反射領域Ａｒに配置
する着色層１２２ａｔと１２２ａｒの彩度を変える必要がないので、カラーフィルタの製
造工数を低減できることから、製造工程を複雑化させる必要がなく、製造コストの上昇も
抑制できるという利点がある。
【００５０】
サブ画素Ｄｘｃの着色層１２２ａｔは、上記シアン以外の他の色の着色材を用いて形成
してもよい。ただし、赤、緑、青の基本的な三色に加えることにより、色再現範囲を拡大
する色相を有していることが好ましい。例えば、他の三色とは色度図上において充分に離
間した色相を有し、かつ、ある程度高い彩度を有するもの、すなわち、色度図上において
他の三色によって形成される色三角形の外側に位置する色相を有するものであることが好
ましい。このようなフィルタ色としては補色系の色、例えば、シアン、マゼンタやイエロ
ー等が最も望ましい。
【００５１】
また、本実施形態では画素Ｐｘ内に三種のサブ画素以外に一つのサブ画素Ｄｘｃのみを
設けているが、三種のサブ画素以外に複数の追加のサブ画素を設けてもよい。例えば、画
素Ｐｘ内に、シアンの着色層を有するサブ画素Ｄｘｃと、マゼンタの着色層を有するサブ
画素Ｄｘｍ（図示せず）の二種類のサブ画素を設け、これらのサブ画素をそれぞれ上記実
施形態のサブ画素Ｄｘｃと同様に構成してもよい。これによって一つの画素Ｐｘが五種の
サブ画素によって構成されることとなる。
【００５２】
なお、本実施形態においては、光透過領域Ａｔに配置される着色層１２２ａｔと、光反
射領域Ａｒに配置される着色層１２２ａｒとを同一材料で同時に形成することで製造コス
トの上昇を抑制しつつ、透過表示の色再現性をより高め、かつ、反射表示の明るさをより
充分に確保するために、光透過領域Ａｔには全面的に覆って比較的彩度の高い着色層を配
置する一方、光反射領域Ａｒには同じ着色層を部分的（選択的）に配置している。すなわ
ち、光反射領域Ａｒでは着色層が配置されずに反射層１１６が露出する領域を設けてある
。このようにすると、着色層自体の彩度を大きく低下させなくても、光反射領域Ａｒ全体
では着色層１２２ａｒの彩度を低下させた場合と同等の効果が得られる。ただし、これら
の三種のサブ画素のうちの少なくとも一種のサブ画素において光反射領域Ａｒに全面的に
着色層１２２ａｒを形成してもよい。
【００５３】
また、本実施形態では全ての光透過領域同士、光反射領域同士がそれぞれ相互に同一の
面積を有するため、透過表示及び反射表示のそれぞれにおいてカラー表示の制御を容易に
行うことができる。また、サブ画素Ｄｘｃでは光透過領域Ａｔのみが設けられているため
、画素Ｐｘの面積の増大率を抑制することができ、これによって表示解像度の低下を抑制
することができる。
【００５４】
さらに、本実施形態では、四色の着色層１２２ａｔを配置した光透過領域Ａｔの透過領
域縦列部分と、三色の着色層１２２ａｒを配置した光反射領域Ａｒの反射領域縦列部分と
が領域配列方向に同じ長さを有するので、画素Ｐｘを矩形などの簡易な平面形状とするこ
とができ、これにより、画素Ｐｘを隙間なく配列させることが容易になる。また、同じ領
域配列方向の長さ範囲内において、透過領域縦列部分には四色の領域が配置され、反射領
域縦列部分には三色の領域が配置されているので、各光反射領域Ａｒの領域配列方向の幅
の平均値が光透過領域Ａｔの領域配列方向の幅の平均値よりも大きくなるため、光反射領
域の面積を増大させやすくなるという利点もある。
【００５５】
なお、本実施形態では、上述のように、透過表示と反射表示に共通のフィルタ色として
原色系の赤、緑、青の三色を用いるとともに、透過表示のみに設定されるフィルタ色とし
て補色系のシアンを用い、これによって、特に、緑色系の色相領域の色再現性を広げるこ
とが可能になっているが、この場合、緑とシアンのスペクトル色の差（色度図上の距離）
を大きく採ることで、色再現性をさらに高めることができる。例えば、図６では、緑のフ
ィルタ色の色相点Ｇを従来のフィルタ色Ｇ´、Ｇ″よりもシアンの色相点Ｃから離間した
色相とし、これによって、色三角形の面積が増大し、色再現範囲をさらに増加させること
ができるように設定されている。
【００５６】
以上は、サブ画素Ｄｘｒ，Ｄｘｇ，Ｄｘｂの着色領域がそれぞれＲ（赤）、Ｇ（緑）、
Ｂ（青）に対応し、サブ画素Ｄｘｃの着色領域がＣ（シアン）に対応するとした例である
が、本発明はこのような構成に限定する趣旨ではなく、以下のような構成としてもよい。
【００５７】
すなわち、４色の着色領域は、波長に応じて色相が変化する可視光領域（３８０−７８
０ｎｍ）のうち、青系の色相の着色領域、赤系の色相の着色領域と、青から黄までの色相
の中で選択された２種の色相の着色領域からなる、とすることができる。ここで系と用い
ているが、例えば青系であれば純粋の青の色相に限定されるものでなく、青紫や青緑等を
含むものである。赤系の色相であれば、赤に限定されるものでなく橙を含む。また、これ
ら着色領域は単一の着色層で構成されても良いし、複数の異なる色相の着色層を重ねて構
成されても良い。
【００５８】
また、これら着色領域は色相で述べているが、当該色相は、彩度、明度を適宜変更し、
色を設定し得るものである。具体的な色相の範囲は、青系の色相の着色領域は、青紫から
青緑であり、より好ましくは藍から青である。赤系の色相の着色領域は、橙から赤である
。青から黄までの色相で選択される一方の着色領域は、青から緑であり、より好ましくは
青緑から緑である。青から黄までの色相で選択される他方の着色領域は、緑から橙であり
、より好ましくは緑から黄である。もしくは緑から黄緑である。
【００５９】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。これにより、従来のＲＧＢの着色領域よりも広範囲の色再
現性を実現することができる。
【００６０】
これを上記実施形態にあてはめると、例えば、サブ画素Ｄｘｒに赤系の色相の着色領域
、サブ画素Ｄｘｂに青系の色相の着色領域、サブ画素Ｄｘｇに緑から橙の色相の着色領域
、サブ画素Ｄｘｃに青から緑の色相の着色領域をそれぞれ配置する構成とすることができ
る。サブ画素Ｄｘｇとサブ画素Ｄｘｃの色相は上記の逆とすることも可能ではあるが、光
反射領域Ａｒによる表示の色バランスや、光透過領域Ａｔによる表示の色再現性の範囲を
考慮すれば、サブ画素Ｄｘｃの色相を青から緑とすることが好ましい。
【００６１】
また、上記では広範囲の色再現性を色相で述べたが、以下に、着色領域を透過する波長
で表現する。青系の着色領域は、当該着色領域を透過した光の波長のピークが４１５−５
００ｎｍにある着色領域、好ましくは、４３５−４８５ｎｍにある着色領域である。赤系
の着色領域は、当該着色領域を透過した光の波長のピークが６００ｎｍ以上にある着色領
域で、好ましくは、６０５ｎｍ以上にある着色領域である。青から黄までの色相で選択さ
れる一方の着色領域は、当該着色領域を透過した光の波長のピークが４８５−５３５ｎｍ
にある着色領域で、好ましくは、４９５−５２０ｎｍにある着色領域である。青から黄ま
での色相で選択される他方の着色領域は、当該着色領域を透過した光の波長のピークが５
００−５９０ｎｍにある着色領域、好ましくは５１０−５８５ｎｍにある着色領域、もし
くは５３０−５６５ｎｍにある着色領域である。
【００６２】
次に、ｘｙ色度図で表現する。青系の着色領域は、ｘ≦0.151、ｙ≦0.056にある着色領
域であり、好ましくは、0.134≦ｘ≦0.151、0.034≦ｙ≦0.056にある着色領域である。赤
系の着色領域は、0.643≦ｘ、ｙ≦0.333にある着色領域であり、好ましくは、0.643≦ｘ
≦0.690、0.299≦ｙ≦0.333にある着色領域である。青から黄までの色相で選択される一
方の着色領域は、ｘ≦0.164、0.453≦ｙにある着色領域であり、好ましくは、0.098≦ｘ
≦0.164、0.453≦ｙ≦0.759にある着色領域である。青から黄までの色相で選択される他
方の着色領域は、0.257≦ｘ、0.606≦ｙにある着色領域であり、好ましくは、0.257≦ｘ
≦0.357、0.606≦ｙ≦0.670にある着色領域である。
【００６３】
これら４色の着色領域は、サブ画素に透過領域と反射領域を備えた場合、透過領域及び
反射領域も上述した範囲で適用することができるものである。
【００６４】
バックライトとして、ＲＧＢの光源としてＬＥＤ、蛍光管、有機ＥＬを用いても良い。
または白色光源を用いても良い。なお、白色光源は青の発光体とＹＡＧ蛍光体により生成
される白色光源でもよい。ＲＧＢ光源としては、以下のものが好ましい。Ｂは波長のピー
クが４３５ｎｍ−４８５ｎｍにあるもの、Ｇは波長のピークが５２０ｎｍ−５４５ｎｍに
あるもの、Ｒは波長のピークが６１０ｎｍ−６５０ｎｍにあるもの、そして、ＲＧＢ光源
の波長によって、上記着色領域を適切に選定すればより広範囲の色再現性を得ることがで
きる。また、波長が例えば、４５０ｎｍと５６５ｎｍにピークがくるような、複数のピー
クを持つ光源を用いても良い。
【００６５】
上記４色の着色領域の構成の例として、以下のものが挙げられる。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルド、黄の着色領域。
（５）色相が、赤、青、深緑、黄緑の着色領域。
（６）色相が、赤、青緑、深緑、黄緑の着色領域。
【００６６】
［第２実施形態］
次に、図３を参照して本発明に係る別の実施形態について説明する。図３は第２実施形
態の一画素の構造を示す概略平面図である。この実施形態では、先に説明した第１実施形
態と同様の部分には同一符号を付し、それらの説明は省略する。
【００６７】
本実施形態においては、一つの画素Ｐｘ内の光透過領域及び光反射領域の配列態様につ
いては第１実施形態と同様であるが、サブ画素Ｄｘｇ´には光透過領域Ａｔのみが形成さ
れ、サブ画素Ｄｘｃ´に光透過領域Ａｔ及び光反射領域Ａｒが設けられている。このため
、サブ画素Ｄｘｇ´に対応するＴＦＴ１１０Ｘでは、半導体層１０２がサブ画素Ｄｘｒ若
しくはＤｘｃ´の光反射領域Ａｒを通過して伸びる接続電極１１４″を有し、この接続電
極１１４″がサブ画素Ｄｘｇ´の電極１１７に導電接続されている。そして、サブ画素Ｄ
ｘｃ´の光反射領域にシアンの着色層１２２ａｒが配置されている。
【００６８】
本実施形態の場合、それぞれ光反射領域Ａｒに配置されたＲ（赤）、Ｃ（シアン）、Ｂ
（緑）の三色で反射表示が構成されることになるが、このようにしても、充分な品位のカ
ラー反射表示を実現できる。これは、反射表示が本来的に輝度やコントラストだけでなく
色再現性でも透過表示に比べて低いことに加えて、着色層を配置しない光反射領域でも緑
色に視認される傾向があるからである。
【００６９】
なお、本実施形態では、サブ画素Ｄｘｒ、Ｄｘｂの光反射領域Ａｒには全面的に着色層
１２２ａｒを形成し、サブ画素Ｄｘｃ´の光反射領域Ａｒには部分的に着色層１２２ａｒ
を形成しているが、上記第１実施形態のように上記三種のサブ画素の全てに部分的に着色
層を形成してもよく、また、全ての光反射領域Ａｒに全面的に着色層１２２ａｒを形成し
てもよい。
【００７０】
［第３実施形態］
図４は、さらに別の実施形態の一つの画素構造を示す概略平面図である。この第３実施
形態でも、先のいずれかの実施形態と同様に構成されている部分には同一符号を付し、そ
れらの説明は省略する。
【００７１】
本実施形態では、基本的には第１実施形態と同じ画素構造を有しているが、サブ画素Ｄ
ｘｒ、Ｄｘｇ、Ｄｘｂに設けられた光反射領域Ａｒ´が相互に異なる面積を有する点で第
１実施形態とは異なる。図示例の場合、図示左右方向に配列される光反射領域Ａｒ´の反
射領域縦列部分内で、反射領域縦列の領域配列方向の長さを変えずに（すなわち透過領域
縦列部分と同じ長さに保ったままで）、各光反射領域Ａｒ´の領域配列方向の幅を相互に
変えることによって、相互に領域面積が異なるようにしている。
【００７２】
本実施形態では、反射表示におけるカラー表示特性が透過表示とは異なることから、複
数の光反射領域Ａｒ´間の面積を変更することで最適な反射表示が得られるようにしてい
る。図示例の場合、Ｇ（緑）の着色層１２２ａｒが配置された光反射領域Ａｒ´の面積を
最も小さくし、Ｂ（青）の着色層１２２ａｒが配置された光反射領域Ａｒ´の面積を最も
大きくしている。このようにしたのは、反射表示においては、一般的に着色層を配置しな
い光反射領域でも緑色に視認される傾向があるからである。
【００７３】
また、本実施形態でも、三種のサブ画素Ｄｘｒ，Ｄｘｇ，Ｄｘｂの光反射領域Ａｒのそ
れぞれに部分的に着色層１２２ａｒを形成しているが、少なくとも一種のサブ画素の光反
射領域において全面的に着色層１２２ａｒを形成してもよい。
【００７４】
［電子機器］
最後に、上述した各実施形態に係る電気光学装置を電子機器に用いた実施形態に説明す
る。図７は、本発明に係る電子機器の一実施形態であるノート型パーソナルコンピュータ
を示している。このパーソナルコンピュータ２００は、複数の操作ボタン２０１ａや他の
操作装置２０１ｂを備えた本体部２０１と、この本体部２０１に接続され、表示画面２０
２ａを備えた表示部２０２とを備えている。図示例の場合、本体部２０１と表示部２０２
は開閉可能に構成されている。表示部２０２の内部には上述の電気光学装置（液晶装置）
１００が内蔵されており、表示画面２０２ａに所望の表示画像が表示されるようになって
いる。この場合、パーソナルコンピュータ２００の内部には、上記電気光学装置１００を
制御する表示制御回路が設けられる。この表示制御回路は、電気光学装置１００に設けら
れる図示しない公知の駆動回路（液晶ドライバ回路など）に対して所定の制御信号を送り
、その表示態様を決定するように構成されている。
【００７５】
図８は、本発明に係る電子機器の他の実施形態である携帯電話機を示している。ここに
示す携帯電話機３００は、複数の操作ボタン３０１ａ，３０１ｂ及び送話口などを備えた
操作部３０１と、表示画面３０２ａや受話口などを備えた表示部３０２とを有し、表示部
３０２の内部に上記の電気光学装置１００が組み込まれてなる。そして表示部３０２の表
示画面３０２ａにおいて電気光学装置１００により形成された表示画像を視認することが
できるようになっている。この場合、携帯電話機３００の内部には、上記電気光学装置１
００を制御する表示制御回路が設けられる。この表示制御回路は、電気光学装置１００に
設けられる図示しない公知の駆動回路（液晶ドライバ回路など）に対して所定の制御信号
を送り、その表示態様を決定するように構成される。
【００７６】
なお、本発明に係る電子機器としては、図７や図８に示す電子機器の他に、液晶テレビ
、カーナビゲーション装置、ページャ、電子手帳、電卓、ワークステーション、テレビ電
話、ＰＯＳ端末機などが挙げられる。そして、これらの各種電子機器の表示部として本発
明に係る電気光学装置を用いることができる。
【００７７】
また、本発明は、上述の図示例にのみ限定されるものではなく、本発明の要旨を逸脱し
ない範囲内において種々変更を加え得ることは勿論である。例えば、本実施形態において
は、液晶表示パネルを備えた液晶装置で構成されるものについて説明したが、本発明は、
カラーフィルタを用いて透過表示及び反射表示を行うことができるものであれば、液晶装
置に限らず、電気泳動表示装置などの他の電気光学装置であっても構わない。
【図面の簡単な説明】
【００７８】
【図１】第１実施形態の電気光学装置の一画素の構造を示す概略平面図。
【図２】第１実施形態の電気光学装置の一つのサブ画素分の断面構造を示す概略縦断面図。
【図３】第２実施形態の電気光学装置の一画素の構造を示す概略平面図。
【図４】第３実施形態の電気光学装置の一画素の構造を示す概略平面図。
【図５】実施形態の着色層の分光スペクトルを示す図。
【図６】実施形態の着色層の色相及び色再現範囲を示すｘｙ色度図。
【図７】電子機器の実施形態の一例を示す概略斜視図。
【図８】電子機器の実施形態の他の例を示す概略斜視図。
【符号の説明】
【００７９】
１００…電気光学装置（液晶装置）、１１０，１２０…基体、１１０Ｘ…ＴＦＴ、１１
１，１２１…基板、１２２…カラーフィルタ、１２２ａｔ，１２２ａｒ…着色層、１２２
ｂｍ…遮光層、１２２ｏｃ…保護膜、１３０…液晶層、Ｐｘ…画素（ピクセル）、Ｄｘｒ
，Ｄｘｇ，Ｄｘｃ，Ｄｘｂ…サブ画素、Ａｔ…光透過領域、Ａｒ…光反射領域。
【図１】
2006350281.tif 000003
【図２】
2006350281.tif 000004
【図３】
2006350281.tif 000005
【図４】
2006350281.tif 000006
【図５】
2006350281.tif 000007
【図６】
2006350281.tif 000008
【図７】
2006350281.tif 000009
【図８】
2006350281.tif 000010